(57)【要約】  【課題】  外付けの複数種類の記憶媒体のうちの一の種類の記憶媒体の空き容量が不足している場合であっても、データをバックアップすることができるデータ記憶装置を提供する。  【解決手段】  ビデオカメラ１は、画像処理部１４にて撮像した画像データを外部の記憶媒体であるＤＶＤ３０（或いはＳＤカード４０）に記憶するものである。制御部１０は、撮像した動画データをＤＶＤ３０に記憶する場合、ＮＡＮＤ型フラッシュメモリ１２をＤＶＤ３０に適合した形式でフォーマットし、撮像した静止画データをＳＤカード４０に記憶する場合、ＮＡＮＤ型フラッシュメモリ１２をＳＤカード４０に適合した形式でフォーマットする。そして、動画データ（静止画データ）をＤＶＤ３０（ＳＤカード４０）に記憶していくことによってＤＶＤ３０（ＳＤカード４０）の空き容量が不足した場合、制御部１０は動画データ（静止画データ）をＮＡＮＤ型フラッシュメモリ１２に記憶する。【選択図】        図１
2006179062.tif 000002
【特許請求の範囲】
【請求項１】
取得したデータを記憶する複数種類の記憶媒体の装着が可能にしてあるデータ記憶装置において、
前記データを前記複数種類の記憶媒体のうちの一の種類の記憶媒体に記憶する場合に、
前記データを記憶する記憶部と、
前記記憶媒体に適合した形式で前記記憶部をフォーマットする手段とを備え、
前記記憶媒体の空き容量が不足した場合に前記データを前記記憶部に記憶するようにしてあること
を特徴とするデータ記憶装置。
【請求項２】
前記複数種類の記憶媒体のうちの一の種類は光ディスクであり、
前記データを光ディスクに記憶する場合に、光ディスクの管理情報を前記記憶部に記憶するようにしてあること
を特徴とする請求項１に記載のデータ記憶装置。
【請求項３】
前記記憶部は、ＮＡＮＤ型フラッシュメモリであること
を特徴とする請求項１又は請求項２に記載のデータ記憶装置。
【請求項４】
前記記憶部は揮発性メモリであり、
内部バッテリと、
外部バッテリを装着するための装着部と、
該装着部に装着された外部バッテリから前記記憶部への給電が可能であるか否かを判定する判定手段と、
該判定手段にて給電が可能であると判定された場合に、前記外部バッテリから前記記憶部へ給電し、給電が可能でないと判定された場合に、前記内部バッテリから前記記憶部へ給電するように制御する制御手段と
を備えることを特徴とする請求項１乃至請求項３のいずれか１つに記載のデータ記憶装置。
【請求項５】
前記データは画像データであり、
画像を撮像して画像データを生成する撮像手段を備え、
撮像手段によって生成された画像データを記憶するようにしてあること
を特徴とする請求項１乃至請求項４のいずれか１つに記載のデータ記憶装置。
【発明の詳細な説明】
【技術分野】
【０００１】
本発明は、取得したデータを記憶する複数種類の記憶媒体の装着が可能にしてあるデータ記憶装置に関する。
【背景技術】
【０００２】
近年、ＣＣＤセンサ、ＣＭＯＳセンサなどの撮像素子を搭載したビデオカメラが普及している。ビデオカメラは、撮像素子によって光電変換されたアナログ形式の信号をデジタル形式に変換し、変換した信号を動画データとして記憶媒体に記憶する。また近年、動画データを光ディスク（ＤＶＤ±Ｒ，ＤＶＤ±ＲＷ，ＤＶＤ−ＲＡＭなどがあるが、以下ＤＶＤという）に記憶するビデオカメラが実用化されている（例えば、特許文献１参照。）。光ディスクは、従来のシーケンシャルアクセス型のテープ状の記憶媒体とは異なり、ランダムにデータを記憶することができ、不要なデータを逐次消去でき、また、所定のデータを瞬時に選択して再生することができる。さらに、動画データのみならず、静止画データをＳＤカードのような記憶媒体に記憶することができるビデオカメラが実用化されている。
【特許文献１】特開２００４−３４３３６４号公報
【発明の開示】
【発明が解決しようとする課題】
【０００３】
しかしながら、記憶媒体に動画データ及び静止画データ（これら２種のデータを画像データという）を記憶していくと、新たな画像データを記憶するのに必要な記憶媒体の空き容量が不足してしまう。したがって、空き容量が不足した場合は、記憶媒体に記憶されている画像データを削除して空き容量を増やさなければ、新たな画像データを記憶することができないという問題があった。また、記憶媒体が装着されていないと画像データを記憶することができないため、常に記憶媒体であるＤＶＤ及びＳＤカードを携帯し、使用する際に装着しなければならないという問題があった。
【０００４】
本発明は斯かる事情に鑑みてなされたものであり、取得したデータを外付けの複数種類の記憶媒体のうちの一の種類の記憶媒体に記憶する場合に、その記憶媒体に適合した形式で記憶部をフォーマットする構成とすることにより、その記憶媒体の空き容量が不足した場合であっても、データを記憶部に記憶してバックアップすることができるデータ記憶装置の提供を目的とする。
【０００５】
また本発明は、複数種類の記憶媒体のうちの一の種類が光ディスクであり、データを光ディスクに記憶する場合に、光ディスクの管理情報を記憶部に記憶する構成とすることにより、データの光ディスクへの記憶が終了する場合に、記憶部に記憶しておいた管理情報を光ディスクに記憶してファイナライズ処理を行うことができるデータ記憶装置の提供を目的とする。
【課題を解決するための手段】
【０００６】
本発明に係るデータ記憶装置は、取得したデータを記憶する複数種類の記憶媒体の装着が可能にしてあるデータ記憶装置において、前記データを前記複数種類の記憶媒体のうちの一の種類の記憶媒体に記憶する場合に、前記データを記憶する記憶部と、前記記憶媒体に適合した形式で前記記憶部をフォーマットする手段とを備え、前記記憶媒体の空き容量が不足した場合に前記データを前記記憶部に記憶するようにしてあることを特徴とする。
【０００７】
本発明にあっては、取得したデータを複数種類の記憶媒体のうちの一の種類の記憶媒体に記憶する場合に、その記憶媒体に適合した形式で記憶部をフォーマットする。そして、その記憶媒体の空き容量が不足した場合、すなわちデータをその記憶媒体に記憶できない場合に、取得したデータを記憶部に記憶する。これにより、記憶媒体の空き容量が不足した場合であっても、データを記憶部にバックアップすることができ、利用者は外部の記憶媒体の空き容量に留意する必要がなくなる。
【０００８】
本発明に係るデータ記憶装置は、前記複数種類の記憶媒体のうちの一の種類は光ディスクであり、前記データを光ディスクに記憶する場合に、光ディスクの管理情報を前記記憶部に記憶するようにしてあることを特徴とする。
【０００９】
本発明にあっては、例えば、記憶部の記憶領域のうちの所定領域（例えば、４Ｍバイト）を、光ディスクへのデータの記憶に必要な管理情報の記憶領域として割当て、管理情報を記憶部に記憶する。そして、光ディスクへのデータの記憶が終了する場合に、記憶部に記憶しておいた管理情報を光ディスクに書き込んでファイナライズ処理を行う。
【００１０】
本発明に係るデータ記憶装置は、前記記憶部がＮＡＮＤ型フラッシュメモリであることを特徴とする。
【００１１】
本発明にあっては、記憶部がＮＡＮＤ型フラッシュメモリであることにより、記憶内容を書き換え可能であるとともに、電力の供給が遮断された場合でも記憶内容を保持することができる。また、ＮＯＲ型フラッシュメモリに比べてデータの書き込みが高速であることから、データの記憶に好適である。
【００１２】
本発明に係るデータ記憶装置は、前記記憶部が揮発性メモリであり、内部バッテリと、外部バッテリを装着するための装着部と、該装着部に装着された外部バッテリから前記記憶部への給電が可能であるか否かを判定する判定手段と、該判定手段にて給電が可能であると判定された場合に、前記外部バッテリから前記記憶部へ給電し、給電が可能でないと判定された場合に、前記内部バッテリから前記記憶部へ給電するように制御する制御手段とを備えることを特徴とする。
【００１３】
本発明にあっては、装着された外部バッテリから記憶部（揮発性メモリ）への給電が可能であるか否かを判定し、給電が可能であると判定された場合に、外部バッテリから揮発性メモリへ電力を供給し、給電が可能でないと判定された場合に、内部バッテリから揮発性メモリへ電力を供給するように制御する。揮発性メモリは、電力の供給が遮断された場合、記憶内容が消去されてしまうが、外部バッテリ又は内部バッテリによって、常に給電されていることから、記憶内容が消去されてしまうことはない。また、外部バッテリが給電が可能である場合は、外部バッテリから揮発性メモリに給電されることから、内部バッテリの電力消費を抑制することができる。
【００１４】
本発明に係るデータ記憶装置は、前記データが画像データであり、画像を撮像して画像データを生成する撮像手段を備え、撮像手段によって生成された画像データを記憶するようにしてあることを特徴とする。
【００１５】
本発明にあっては、撮像手段によって生成された画像データを複数種類の記憶媒体のうちの一の種類の記憶媒体に記憶する場合に、上述のようにして画像データを記憶部に記憶してバックアップすることができる。
【発明の効果】
【００１６】
本発明によれば、取得したデータを外付けの複数種類の記憶媒体のうちの一の種類の記憶媒体に記憶する場合に、その記憶媒体に適合した形式で記憶部をフォーマットする構成としたので、その記憶媒体の空き容量が不足した場合であっても、データを記憶部に記憶してバックアップすることができ、利用者は外部の記憶媒体の空き容量に留意する必要がなくなる。
【００１７】
本発明によれば、複数種類の記憶媒体のうちの１つは光ディスクであり、データを光ディスクに記憶する場合に、データを光ディスクに記憶する場合に、光ディスクの管理情報を記憶部に記憶する構成としたので、データの光ディスクへの記憶が終了する場合に、記憶部に記憶しておいた管理情報を光ディスクに記憶してファイナライズ処理を行うことができる等、優れた効果を奏する。
【発明を実施するための最良の形態】
【００１８】
以下、本発明をその実施の形態を示す図面に基づいて詳述する。
【００１９】
（実施の形態１）
図１は本発明の実施の形態１に係るデータ記憶装置であるビデオカメラの一例を示すブロック図である。
本発明の実施の形態１に係るビデオカメラ１は、ＣＰＵで構成された制御部１０を備えている。制御部１０は、ＮＯＲ型フラッシュメモリ１１、ＮＡＮＤ型フラッシュメモリ１２、ＳＤＲＡＭ１３、画像処理部１４、操作部１６、表示部１７、ＤＶＤドライブ１８、ＳＤカードスロット１９及び出力部２０と接続され、これら各部を制御し、ＮＯＲ型フラッシュメモリ１１に予め格納されているコンピュータプログラムに従って種々の機能を実行し、各部と連携して又は単独で本発明における各種の手段として機能する。
【００２０】
ＮＯＲ型フラッシュメモリ１１及びＮＡＮＤ型フラッシュメモリ１２は、記憶内容を書き換え可能であるとともに、電力の供給が遮断された場合でも記憶保持できる不揮発性のデバイスである。ＮＡＮＤ型フラッシュメモリ１２は、ＮＯＲ型フラッシュメモリ１１に比べてデータの書き込みが高速であることから、保持しておくべきデータを記憶するのに好適である。
【００２１】
例えば、ＮＡＮＤ型フラッシュメモリ１２は、１２８Ｍバイトの容量を有しており、そのうちの４Ｍバイトを動画データのＤＶＤ３０への記憶の際に必要な管理情報を記憶する領域として割当て、残りの１２４Ｍバイトを動画データ及び静止画データを記憶する領域として割当てる。一方、ＮＯＲ型フラッシュメモリ１１は、ＮＡＮＤ型フラッシュメモリ１２に比べてデータの読み込みが高速であることから、コンピュータプログラムを格納しておくのに好適である。ＳＤＲＡＭ１３は、制御部１０によるコンピュータプログラムの実行時に発生する一時的なデータを記憶するものである。
【００２２】
画像処理部１４は、ＣＣＤ又はＣＭＯＳなどの撮像素子１４ａ、ＡＤＣ（アナログ・デジタル・コンバータ）１４ｂ、コーデック１４ｃ、ＤＡＣ（デジタル・アナログ・コンバータ）１４ｄを備えている。撮像素子１４ａは入射される光を光電変換してアナログ形式の電気信号を生成する。ＡＤＣ１４ｂは、撮像素子１４ａにて生成されたアナログ形式の電気信号を所定のサンプリング周波数でデジタル化してコーデック１４ｃへ出力する。コーデック１４ｃは、デジタル化された電気信号を動画データ（例えばＭＰＥＧ形式）又は静止画データ（例えばＪＰＥＧ形式）に符号化する。なお、符号化形式としては、例えば動画の場合、ＤＶ圧縮形式、モーションＪＰＥＧ形式などであってもよく、その規格については限定されるものではない。
【００２３】
ＤＶＤドライブ１８は、図示しない光ピックアップ部を備えており、挿入された記憶媒体（ＤＶＤ）３０にアクセスして、各種のデータの読み出し及び書き込みを行う。制御部１０は、画像処理部１４にて処理された動画データをＤＶＤドライブ１８に挿入された記憶媒体（ＤＶＤ）３０に記憶する。その際、制御部１０は、ＮＡＮＤ型フラッシュメモリ１２のうちの４Ｍバイトの領域に、ＤＶＤ３０の管理情報を記憶して、ＤＶＤ３０への記憶が終了する場合に、ＮＡＮＤ型フラッシュメモリ１２に記憶しておいた管理情報をＤＶＤ３０に記憶してファイナライズ処理を行う。管理情報は３０秒毎に更新されるが、ＮＡＮＤ型フラッシュメモリ１２の書き込みが高速なため、管理情報の記憶処理が他の処理に弊害を及ぼすことはない。
【００２４】
また、ＤＶＤ３０に記憶されている動画データは、ＤＶＤドライブ１８によって読み出され、コーデック１４ｃにて復号化されてＤＡＣ１４ｄへ出力される。ＤＡＣ１４ｄは、動画データをアナログ形式の電子信号として出力部２０へ出力する。出力部２０は、液晶ディスプレイ又はＣＲＴディスプレイなどの表示機器５０の接続が可能になっており、出力部２０から出力された電気信号に係る動画が表示機器５０に表示される。
【００２５】
ＳＤカードスロット１９は、装置に着脱自在な記憶媒体（ここではＳＤカード）４０を装着するための接続部であり、ＳＤカードスロット１９に挿入されたＳＤカード４０にアクセスして、各種のデータの読み出し及び書き込みを行う。制御部１０は、画像処理部１４にて処理された静止画データをＳＤカードスロット１９に挿入されたＳＤカード４０に記憶する。
【００２６】
また、ＳＤカード４０に記憶されている静止画データは、ＳＤカードスロット１９によって読み出され、コーデック１４ｃにて復号化されてＤＡＣ１４ｄへ出力される。ＤＡＣ１４ｄは、静止画データをアナログ形式の電子信号として出力部２０へ出力する。出力部２０は、液晶ディスプレイ又はＣＲＴディスプレイなどの表示機器５０の接続が可能になっており、出力部２０から出力された電気信号に係る静止画が表示機器５０に表示される。
【００２７】
また、制御部１０は、ＤＶＤ３０、ＳＤカード４０のいずれか１つに適合した形式でＮＡＮＤ型フラッシュメモリ１２をフォーマットする手段として機能する。より具体的には、制御部１０は、撮像した動画データをＤＶＤ３０に記憶する場合、ＮＡＮＤ型フラッシュメモリ１２をＤＶＤ３０に適合した形式でフォーマットし、撮像した静止画データをＳＤカード４０に記憶する場合、ＮＡＮＤ型フラッシュメモリ１２をＳＤカード４０に適合した形式でフォーマットする。
【００２８】
そして、動画データをＤＶＤ３０に記憶していくことによってＤＶＤ３０の空き容量が不足した場合、制御部１０は動画データをＮＡＮＤ型フラッシュメモリ１２に記憶する。同様に、静止画データをＳＤカード４０に記憶していくことによってＳＤカード４０の空き容量が不足した場合、制御部１０は静止画データをＮＡＮＤ型フラッシュメモリ１２に記憶する。
【００２９】
操作部１６は、動画／静止画指定キー１６ａのようなビデオカメラ１を操作するための各種のファンクションキーを備えている。動画／静止画指定キー１６ａは、動画を撮像するか、又は静止画を撮像するかの指定を利用者から受け付ける。動画／静止画指定キー１６ａは、例えばダイヤル状になっており、利用者がダイヤルを回転することによって、動画と静止画との切り換えが決定される。
【００３０】
表示部１７は、液晶ディスプレイ又はＬＥＤディスプレイなどの表示デバイスで構成されており、ビデオカメラ１の動作状態の表示、利用者へ操作入力を促す画面の表示などを適宜行う。なお、表示部１７をタッチパネル方式とすることにより、操作部１６の各種のファンクションキーのうちの一部又は全部を代用することも可能である。
【００３１】
次に、ビデオカメラ１が行う動作手順を、フローチャートを用いて説明する。図２は本発明に係るデータ記憶装置としてのビデオカメラの動作手順を示すフローチャートである。なお、動作手順は一例であり、これに限定されるものではない。また、このような動作手順は、ＮＯＲ型フラッシュメモリ１１へ予めコンピュータプログラムを組み込んでおくことにより行うことができる。
【００３２】
制御部１０は、動画／静止画指定キー１６ａにて受け付けた画像の形式が動画であるか又は静止画であるかの判定を行う（ステップＳ１）。Ｓ１において、画像の形式が動画であると判定された場合（Ｓ１：動画）、まず、制御部１０は、ＮＡＮＤ型フラッシュメモリ１２をＤＶＤ３０に適合した形式でフォーマットする（ステップＳ２）。そして、制御部１０は画像処理部１４に指示信号を与え、画像処理部１４は、撮像素子１４ａにて撮像した画像を、コーデック１４ｃにて動画データに符号化する（ステップＳ３）。
【００３３】
制御部１０は、ＤＶＤ３０の空き容量を検出し、空き容量が動画データの記憶に不足しているか否かを判定する（ステップＳ４）。空き容量が不足していないと判定された場合（Ｓ４：ＮＯ）、制御部１０は、動画データをＤＶＤ３０に記憶する（ステップＳ５）。なお、この場合、ＮＡＮＤ型フラッシュメモリ１２のうちの４Ｍバイトの領域に、ＤＶＤ３０の管理情報の記憶に利用する。
【００３４】
一方、Ｓ４において、空き容量が不足していると判定された場合（Ｓ４：ＹＥＳ）、制御部１０は、動画データをＮＡＮＤ型フラッシュメモリ１２に記憶する（ステップＳ６）。このようにして、ＤＶＤ３０の空き容量が不足している場合であっても、動画データをＮＡＮＤ型フラッシュメモリ１２に記憶してバックアップすることができる。
【００３５】
Ｓ１において、画像の形式が静止画であると判定された場合（Ｓ１：静止画）、まず、制御部１０は、ＮＡＮＤ型フラッシュメモリ１２をＳＤカード４０に適合した形式でフォーマットする（ステップＳ７）。そして、制御部１０は画像処理部１４に指示信号を与え、画像処理部１４は、撮像素子１４ａにて撮像した画像を、コーデック１４ｃにて静止画データに符号化する（ステップＳ８）。
【００３６】
制御部１０は、ＳＤカード４０の空き容量を検出し、空き容量が静止画データの記憶に不足しているか否かを判定する（ステップＳ９）。空き容量が不足していないと判定された場合（Ｓ９：ＮＯ）、制御部１０は、静止画データをＳＤカード４０に記憶する（ステップＳ１０）。
【００３７】
一方、Ｓ９において、空き容量が不足していると判定された場合（Ｓ９：ＹＥＳ）、制御部１０は、静止画データをＮＡＮＤ型フラッシュメモリ１２に記憶する（ステップＳ１１）。このようにして、ＳＤカード４０の空き容量が不足している場合であっても、静止画データをＮＡＮＤ型フラッシュメモリ１２に記憶してバックアップすることができる。
【００３８】
（実施の形態２）
図３は本発明の実施の形態２に係るデータ記憶装置であるビデオカメラの一例を示すブロック図である。
本発明の実施の形態２に係るビデオカメラ２は、制御部１０、ＮＯＲ型フラッシュメモリ１１、ＳＲＡＭ２２、整流素子２３、ボタン電池２４、ＦＥＴ２５、フリップフロップ回路２６、装着部２７、ＳＤＲＡＭ１３、画像処理部１４、操作部１６、表示部１７、ＤＶＤドライブ１８、ＳＤカードスロット１９及び出力部２０を備えている。
【００３９】
ＳＲＡＭ２２は、整流素子２３を介して装着部２７に装着されたメインバッテリ６０に接続されている。メインバッテリ６０は着脱が可能な外部バッテリである。また、ＳＲＡＭ２２は、ＦＥＴ２５を介して内部バッテリであるボタン電池２４に接続されている。ＦＥＴ２５は、フリップフロップ回路２６に接続されており、フリップフロップ回路２６は制御部１０によって制御される。
【００４０】
制御部１０は、装着部２７にメインバッテリ６０が装着され、ＳＲＡＭ２２への給電が可能であるか否かを判定する手段として機能し、メインバッテリ６０によるＳＲＡＭ２２への給電が可能でないと判定された場合に、フリップフロップ回路２６にオン情報を与える。オン情報が与えられたフリップフロップ回路２６はＦＥＴ２５をオンして、ボタン電池２４からＳＲＡＭ２２に電力を供給する。フリップフロップ回路２６は、オフ情報が与えられるまでオン情報を保持することから、ＦＥＴ２５のオン状態を保持する。
【００４１】
一方、制御部１０は、メインバッテリ６０によるＳＲＡＭ２２への給電が可能であると判定された場合に、フリップフロップ回路２６にオフ情報を与える。オフ情報が与えられたフリップフロップ回路２６はＦＥＴ２５をオフして、ボタン電池２４からＳＲＡＭ２２への電力供給を遮断する。フリップフロップ回路２６は、オン情報が与えられるまでオフ情報を保持することから、ＦＥＴ２５のオフ状態を保持する。その他の構成は図１と同様であるので、対応する部分には同一の符号を付してその詳細な説明を省略する。
【００４２】
このようにして、制御部１０は、メインバッテリ６０によるＳＲＡＭ２２への給電が可能であるか否かに基づいて、フリップフロップ回路２６を介してボタン電池２４からＳＲＡＭ２２への電力の供給を制御する。ＳＲＡＭ２２は、実施の形態１のＮＡＮＤ型フラッシュメモリ１２に相当するものであるが、電力の供給が遮断された場合、記憶内容が消去されてしまうが、メインバッテリ６０とボタン電池２４とが相補的に電力を供給するため、記憶内容が消去されてしまうことはない。
【００４３】
また、メインバッテリ６０によるＳＲＡＭ２２への給電が可能である場合、つまり、ボタン電池２４からＳＲＡＭ２２への電力供給が不要な場合には、ボタン電池２４からのＳＲＡＭ２２への電力供給が遮断されるため、ボタン電池２４の無駄な電力が消費されることを防止できる。例えば、ＳＲＡＭ２２の駆動に必要な電力（電流）としては１０μＡ〜２０μＡレベルであり、ボタン電池２４の種類にも依存するが、ボタン電池２４からＳＲＡＭ２２に電力を常時供給した場合には数ヶ月で蓄電量がなくなってしまうが、メインバッテリ６０が装着されていない場合にボタン電池２４の電力が消費されるだけであるので、ボタン電池２４の耐用期間を延ばすことができる。
【００４４】
なお、各実施の形態では、ＤＶＤ３０（ＳＤカード４０）の空き容量が不足したときにＮＡＮＤ型フラッシュメモリ１２に動画データ（静止画データ）を記憶するようにしたが、ＤＶＤ３０（ＳＤカード４０）が挿入されていない場合には、自動的にＮＡＮＤ型フラッシュメモリ１２に動画データ（静止画データ）を記憶するようにしてもよいし、利用者の指示によってＮＡＮＤ型フラッシュメモリ１２に動画データ（静止画データ）を記憶するようにしてもよい。
【００４５】
また、外付けの記憶媒体がＤＶＤ３０及びＳＤカード４０である場合について説明したが、もちろん、外付けの記憶媒体の種類及び組合せについて限定されるものではない。さらに、実施の形態２においては、内部の記憶部がＳＲＡＭである場合について説明したが、揮発性メモリであれば、その種類が限定されるものではない。
【図面の簡単な説明】
【００４６】
【図１】本発明の実施の形態１に係るデータ記憶装置であるビデオカメラの一例を示すブロック図である。
【図２】本発明に係るデータ記憶装置としてのビデオカメラの動作手順を示すフローチャートである。
【図３】本発明の実施の形態２に係るデータ記憶装置であるビデオカメラの一例を示すブロック図である。
【符号の説明】
【００４７】
１，２  ビデオカメラ
１０  制御部
１１  ＮＯＲ型フラッシュメモリ
１２  ＮＡＮＤ型フラッシュメモリ
１４  画像処理部
１６  操作部
１８  ＤＶＤドライブ
１９  ＳＤカードスロット
２２  ＳＲＡＭ
２４  ボタン電池
２５  ＦＥＴ
２６  フリップフロップ回路
２７  装着部
３０  記憶媒体（ＤＶＤ）
４０  記憶媒体（ＳＤカード）
６０  メインバッテリ
【図１】
2006179062.tif 000003
【図２】
2006179062.tif 000004
【図３】
2006179062.tif 000005